(57)【特許請求の範囲】
【請求項１】
データの書換自在な記憶部及び表示部を有し、前記記憶部に記憶されるカードデータの中に前記表示部に対するデータの書換回数を含むリライトカードに対するカードリーダライタにおいて、
前記リライトカードを着脱自在に装着可能なカード装着部と、
前記カード装着部に装着されたリライトカードの記憶部に記録されたカードデータを読取るデータ読取手段と、
前記カード装着部に装着されたリライトカードの記憶部にカードデータを記録するとともにそのデータの少なくとも一部を当該リライトカードの表示部に書換表示させるデータ書込み手段と、
前記データ読取手段により読取ったカードデータを記憶するカードデータ記憶手段と、
前記データ読取手段により読取ったカードデータの書換回数が予め設定されている前記表示部の書換限界値に達しているか否かを判断する第１の書換限界判断手段と、
この第１の書換限界判断手段により前記カードデータの書換回数が前記書換限界値に達していないと判断されると、前記カードデータ記憶手段により記憶されたカードデータの書換回数に１を加算した後、前記データ書込み手段を動作させて前記カードデータ記憶手段により記憶されたカードデータを当該リライトカードの記憶部に記録するとともにそのデータの少なくとも一部を当該リライトカードの表示部に書換表示させるカード継続処理手段と、
前記第１の書換限界判断手段により前記カードデータの書換回数が前記書換限界値に達していると判断されると、前記カード装着部に装着された前記リライトカードを排出させるカード排出手段と、
このカード排出手段により排出されたリライトカードと入替えに別のリライトカードが前記カード装着部に装着され、当該別のリライトカードの記憶部に記録されたカードデータが前記データ読取手段により読取られると、そのカードデータの書換回数が前記書換限界値に達しているか否かを判断する第２の書換限界判断手段と、
この第２の書換限界判断手段により前記カードデータの書換回数が前記書換限界値に達していないと判断されると前記カードデータ記憶手段により記憶されたカードデータの書換回数を当該別のリライトカードの記憶部に記録されたカードデータ中の書換回数に置換しさらに１を加算した後、前記データ書込み手段を動作させて前記カードデータ記憶手段により記憶されたカードデータを当該別のリライトカードの記憶部に記録するとともにそのデータの少なくとも一部を当該別のリライトカードの表示部に書換表示させるカード複写手段と、
を具備したことを特徴とするカードリーダライタ。
【請求項２】
ＰＯＳターミナルと接続され、データの書換自在な記憶部及び表示部を有し、前記記憶部に記憶されるカードデータの中に前記表示部に対するデータの書換回数を含むリライトカードに対するカードリーダライタにおいて、
前記リライトカードを着脱自在に装着可能なカード装着部と、
前記カード装着部に装着されたリライトカードの記憶部に記録されたカードデータを読取るデータ読取手段と、
前記カード装着部に装着されたリライトカードの記憶部にカードデータを記録するとともにそのデータの少なくとも一部を当該リライトカードの表示部に書換表示させるデータ書込み手段と、
カードデータメモリと、
前記ＰＯＳターミナルから前記リライトカードの再発行要求伝文を受信すると、前記データ読取手段により読取ったカードデータを前記カードデータメモリに記憶した後、前記カード装着部に装着された前記リライトカードを排出させるカード排出手段と、
このカード排出手段により排出されたリライトカードと入替えに別のリライトカードが前記カード装着部に装着され、当該別のリライトカードの記憶部に記録されたカードデータが前記データ読取手段により読取られると、そのカードデータの書換回数が予め設定されている前記表示部の書換限界値に達しているか否かを判断する書換限界判断手段と、
この書換限界判断手段により前記カードデータの書換回数が前記書換限界値に達していないと判断されると前記カードデータメモリに記憶されたカードデータの書換回数を当該別のリライトカードの記憶部に記録されたカードデータ中の書換回数に置換しさらに１を加算した後、前記データ書込み手段を動作させて前記カードデータメモリに記憶されたカードデータを当該別のリライトカードの記憶部に記録するとともにそのデータの少なくとも一部を当該別のリライトカードの表示部に書換表示させるカード複写手段と、
を具備したことを特徴とするカードリーダライタ。
【請求項３】
前記カード排出手段により前記カード装着部に装着された前記リライトカードが排出される際に、オペレータにカード再発行を報知する手段をさらに具備したことを特徴とする請求項１又は２記載のカードリーダライタ。
【発明の詳細な説明】
【０００１】
【発明の属する技術分野】
本発明は、データの書換自在な記憶部及び表示部を有するリライトカードに対するカードリーダライタに関する。
【０００２】
【従来の技術】
近年、磁気記憶部のみを有する磁気カードとは別に、磁気記憶部とともに表示部を設けて磁気記憶部に記録したデータの少なくとも一部を表示部に書換表示させるようにしたカード、いわゆるリライトカードが実用化されている。このリライトカードは、不可視状態にある磁気記憶データの少なくとも一部を表示部にて可視化できるので、スーパーマーケットや専門店等の流通小売業で用いられているポイントカードやプリペイドカード等として徐々に普及しつつある。
【０００３】
ところで一般に、前記リライトカードの表示部は、熱可逆性記録材料を積層して形成し、この熱可逆性記録材料を加熱及び冷却して透明状態と白濁状態とを切換えることにより表示，消去を繰り返している。このため、表示部のデータを書換える毎に熱可逆性記録材料が劣化して表示が次第に薄くなる。そして、データの書換回数が数百回を越えると表示が不鮮明になって、磁気記録データは正常であるにも拘らず使用できなくなる。そこで、リライトカードを使用する場合には、表示部が不鮮明になった旧カードを新カードに切換えるカード再発行業務が必要であった。
【０００４】
従来、リライトカードの再発行業務は、リライトカードに対するカードリーダライタを接続したパーソナルコンピュータを操作して旧カードのデータを手入力し、この手入力されたデータをカードリーダライタにより新カードに書込ませることによって遂行していた。
【０００５】
【発明が解決しようとする課題】
上述したように、従来は旧カードのデータを全て入力操作しなければならなかったので、カードの再発行処理に時間を要するという問題があった。
そこで本発明は、簡単な操作で旧カードのデータを引き継いだ新カードを発行させることができ、カード再発行処理に要する手間の簡略と処理時間の短縮を図り得るカードリーダライタを提供しようとするものである。
【０００７】
【課題を解決するための手段】
本願請求項１対応の発明は、データの書換自在な記憶部及び表示部を有し、記憶部に記憶されるカードデータの中に表示部に対するデータの書換回数を含むリライトカードに対するカードリーダライタにおいて、リライトカードを着脱自在に装着可能なカード装着部と、カード装着部に装着されたリライトカードの記憶部に記録されたカードデータを読取るデータ読取手段と、カード装着部に装着されたリライトカードの記憶部にカードデータを記録するとともにそのデータの少なくとも一部を当該リライトカードの表示部に書換表示させるデータ書込み手段と、データ読取手段により読取ったカードデータを記憶するカードデータ記憶手段と、データ読取手段により読取ったカードデータの書換回数が予め設定されている表示部の書換限界値に達しているか否かを判断する第１の書換限界判断手段と、この第１の書換限界判断手段によりカードデータの書換回数が書換限界値に達していないと判断されると、カードデータ記憶手段により記憶されたカードデータの書換回数に１を加算した後、データ書込み手段を動作させてカードデータ記憶手段により記憶されたカードデータを当該リライトカードの記憶部に記録するとともにそのデータの少なくとも一部を当該リライトカードの表示部に書換表示させるカード継続処理手段と、第１の書換限界判断手段によりカードデータの書換回数が書換限界値に達していると判断されると、カード装着部に装着されたリライトカードを排出させるカード排出手段と、このカード排出手段により排出されたリライトカードと入替えに別のリライトカードがカード装着部に装着され、当該別のリライトカードの記憶部に記録されたカードデータがデータ読取手段により読取られると、そのカードデータの書換回数が書換限界値に達しているか否かを判断する第２の書換限界判断手段と、この第２の書換限界判断手段によりカードデータの書換回数が書換限界値に達していないと判断されるとカードデータ記憶手段により記憶されたカードデータの書換回数を当該別のリライトカードの記憶部に記録されたカードデータ中の書換回数に置換しさらに１を加算した後、データ書込み手段を動作させてカードデータ記憶手段により記憶されたカードデータを当該別のリライトカードの記憶部に記録するとともにそのデータの少なくとも一部を当該別のリライトカードの表示部に書換表示させるカード複写手段とを備えたものである。
【０００８】
本願請求項２対応の発明は、ＰＯＳターミナルと接続された同リライトカードに対するカードリーダライタにおいて、カード装着部、データ読取手段及びデータ書込み手段に加え、カードデータメモリと、ＰＯＳターミナルからリライトカードの再発行要求伝文を受信すると、データ読取手段により読取ったカードデータをカードデータメモリに記憶した後、カード装着部に装着されたリライトカードを排出させるカード排出手段と、このカード排出手段により排出されたリライトカードと入替えに別のリライトカードがカード装着部に装着され、当該別のリライトカードの記憶部に記録されたカードデータがデータ読取手段により読取られると、そのカードデータの書換回数が予め設定されている表示部の書換限界値に達しているか否かを判断する書換限界判断手段と、この書換限界判断手段によりカードデータの書換回数が書換限界値に達していないと判断されるとカードデータメモリに記憶されたカードデータの書換回数を当該別のリライトカードの記憶部に記録されたカードデータ中の書換回数に置換しさらに１を加算した後、データ書込み手段を動作させてカードデータメモリに記憶されたカードデータを当該別のリライトカードの記憶部に記録するとともにそのデータの少なくとも一部を当該別のリライトカードの表示部に書換表示させるカード複写手段とを備えたものである。
【０００９】
本願請求項３対応の発明は、請求項１又は２対応の発明に、カード排出手段によりカード装着部に装着されたリライトカードが排出される際に、オペレータにカード再発行を報知する手段を設けたものである。
【００１０】
【発明の実施の形態】
以下、本発明のカードリーダライタ及びこのカードリーダライタを用いたカード再発行方法の一実施の形態を図面を用いて説明する。
なお、この実施の形態では、図１に示すように、ポイントカードとして使用されるリライトカード１に対してのデータ処理機能を有するＰＯＳ（販売時点情報管理）ターミナル２に通信ケーブル３で接続されたカードリーダライタ４に本発明を適用した場合について説明する。
【００１１】
図１に示すように、前記ＰＯＳターミナル２は、キーボード２１、オペレータ用の表示器２２、客用の表示器２３、レシート等を印字するためのプリンタ２４、現金等を収容するためのドロワ２５及びモードスイッチ２６等を備えている。
前記キーボード２１には、商品販売点数等を置数する置数キーｋ１や、各商品の商品コードがプリセットされた多数のプリセットキーｋ２等の商品登録用キーの他、１客の買上商品登録終了を宣言する締めキーｋ３、カード再発行業務を実行させる再発行キーｋ４等の各種ファンクションキーを配設している。
前記モードスイッチ２６は、「登録」，「点検」，「精算」，「設定」等の各種業務モードを選択的に切換えるスイッチである。ここで、「登録」とは商品登録用キーのキー入力により販売登録された各商品の販売データを記憶部に登録処理しかつレシートをプリンタ２４より印字発行する業務のモードであり、「点検」とは「登録」によって記憶部に登録処理された各商品の販売データの集計データを売上点検レポートとしてプリンタ２４より印字発行する業務のモードであり、「精算」とは各商品販売データの集計データを売上精算レポートとしてプリンタ２４より印字発行した後、記憶部に登録処理したデータをクリアする業務のモードであり、「設定」とは「登録」，「点検」，「精算」等の各種業務を実行するのに必要なデータを記憶部に予め設定する業務のモードである。
【００１２】
前記カードリーダライタ４は、リライトカード１を着脱自在に装着可能なカード装着部４１と、カード再発行を表示する再発行表示器４２とを筐体正面に備えている。因みに、再発行表示器４２はＬＥＤ（発光ダイオード）等の発光素子で構成し、点灯または点滅することによってリライトカード１の再発行をオペレータに報知する。
【００１３】
前記リライトカード１は、図２に示すように、一方の面（ａ）に記憶部としての磁気ストライプ部１１を設け、他方の面（ｂ）に表示部１２を設けている。前記磁気ストライプ部１１には、図３に示すように、カード種別ｄ１，会員番号ｄ２，今回ポイントｄ３，累計ポイントｄ４，取扱日付ｄ５及び書換回数ｄ６の各項目からなるカードデータが磁気記録される。前記表示部１２には、前記カードデータのうちカード種別ｄ１と書換回数ｄ６の項目を除いた項目（会員番号ｄ２，今回ポイントｄ３，累計ポイントｄ４，取扱日付ｄ５）が表示される。
【００１４】
なお、カード種別ｄ１は、このリライトカード１がポイントカードなのか否かを識別するフラグデータである。会員番号ｄ２は、このリライトカード所有者の識別番号である。今回ポイントｄ３は、最新の商品買上げで付与された特典ポイントである。累計ポイントｄ４は特典ポイントの累計値である。取扱日付ｄ５は最新の商品買上げの日付である。書換回数ｄ６は、表示部１２に対するデータの書換回数である。
【００１５】
図４は前記ＰＯＳターミナル２の要部構成を示すブロック図であって、このＰＯＳターミナル２は、制御部本体としてＣＰＵ（Ｃｅｎｔｒｌ  Ｐｒｏｃｅｓｓｉｎｇ  Ｕｎｉｔ）５１を搭載している。また、このＣＰＵ５１を制御するプログラム等の固定的データを格納したＲＯＭ（Ｒｅａｄ  Ｏｎｌｙ  Ｍｅｍｏｌｙ）５２、商品販売データを登録処理する記憶部を形成したＲＡＭ（Ｒａｎｄｏｍ  Ａｃｃｅｓｓ  Ｍｅｍｏｌｙ）５３、日付及び時刻を計時する時計回路５４、伝送回線で接続されたホストコンピュータとの間のデータ通信を制御するホストインタフェース５５、前記通信ケーブル３で接続されたカードリーダライタ４との間のデータ通信を制御するカードリーダライタインタフェース５６、前記モードスイッチ２６からの信号を入力するとともに前記ドロワ２５を自動開放するドロワ開放装置２６ａに駆動信号を送出するＩ／Ｏポート５７、前記キーボード２１からのキー信号を取込むキーボードコントローラ５８、前記各表示器２２，２３のデータ表示を制御する表示器コントローラ５９、前記プリンタ２４によるデータ印字を制御するプリンタコントローラ６０等を搭載している。そして、前記ＣＰＵ５１と、ＲＯＭ５２，ＲＡＭ５３，時計回路５４，ホストインタフェース５５，カードリーダライタインタフェース５６，Ｉ／Ｏポート５７及び各コントローラ５８，５９，６０とを、アドレスバス、データバス等のバスライン６１で接続している。
【００１６】
図５は前記カードリーダライタ４の要部構成を示すブロック図であって、このカードリーダライタ４は、制御部本体としてＣＰＵ７１を搭載している。また、このＣＰＵ７１を制御するプログラム等の固定的データを格納したＲＯＭ７２、図６に示すエリア構成のカードデータメモリＭ１，今回データメモリＭ２，表示データメモリＭ３，前記カード装着部４１にリライトカード１が装着されているとき“１”となり、装着されていないとき“０”となるカード有無フラグＦのフラグメモリＭ４等を備えたＲＡＭ７３、前記通信ケーブル３で接続されたＰＯＳターミナル２との間のデータ通信を制御するＰＯＳインタフェース７４、前記再発行表示器４２に表示信号を送出するとともに前記カード装着部４１におけるカードの有無を検出するカードセンサ７５からの信号を取込むＩ／Ｏポート７６、前記カード装着部４１に装着されたカードを排出させるモータ７７のモード駆動回路７８、及び読取りヘッド７９，書込みヘッド８０，表示ヘッド８１，消去ヘッド８２の各ヘッド駆動回路８３，８４，８５，８６を搭載している。そして、前記ＣＰＵ７１と、ＲＯＭ７２，ＲＡＭ７３，ＰＯＳインタフェース７４，Ｉ／Ｏポート７５，モータ駆動回路７８及び各ヘッド駆動回路８３，８４，８５，８６とを、アドレスバス、データバス等のバスライン８７で接続している。
【００１７】
ここで、前記読取りヘッド７９は、前記カード装着部４１に装着されたリライトカード１の磁気ストライプ部１１に磁気記録されたデータを読取るものであって、この読取りヘッド７９及びヘッド駆動回路８３によってデータ読取り手段を構成している。
また、前記書込みヘッド８０は、前記カード装着部４１に装着されたリライトカード１の磁気ストライプ部１１にデータを磁気記録するものであり、前記表示ヘッド８１は、同リライトカード１の表示部１２にデータを表示させるものであり、前記消去ヘッド８２は、同リライトカード１の表示部１２に表示されたデータを消去するものであって、この書込みヘッド８０，表示ヘッド８１，消去ヘッド８２及び各ヘッドの駆動回路８４，８５，８６によってデータ書込み手段を構成している。
なお、読取りヘッド７９及び書込みヘッド８０は、互いに独立した２つのヘッドで構成しても、１つのヘッドで読取り及び書込みを行うようにしてもよい。同様に、表示ヘッド８１及び消去ヘッド８２は、互いに独立した２つのヘッドで構成しても、１つのヘッドで表示及び消去を行うようにしてもよい。
【００１８】
しかして、前記ＰＯＳターミナル２は、前記モードスイッチ２６により「登録」モードを選択した状態で、締めキーｋ３により１客買上商品の登録終了を宣言すると、ＣＰＵ５１が図７（ａ）の流れ図に示す締めキー処理を実行するようにプログラムを構成している。
すなわち、ＣＰＵ５１は、キーボードコントローラ５８を介して締めキーｋ３の入力を検知すると該締めキー処理を開始し、先ず、ＳＴ（ステップ）１として客買上げ商品の販売データが登録済みであることを確認すると、ＳＴ２としてその登録商品の合計金額を算出し、オペレータ用及び客用の各表示器２２，２３に表示させる。次に、ＳＴ３として登録商品の合計金額に基づいて今回の客買上商品に対する特典ポイントを算出する。そして、ＳＴ４としてこの今回特典ポイント及び時計回路５４から読出した取扱日付を含むデータ更新伝文を編集し、このデータ更新伝文をカードリーダインタフェース５６を介してカードリーダライタ４に送信する。しかる後、ＳＴ５としてプリンタ２４により客買上商品の明細データ及びその合計データを印字したレシートを発行するともに、ドロワ開放装置２５ａに駆動信号を送出してドロワ２５を自動開放させたならば、この締めキー処理を終了する。
【００１９】
また、前記ＰＯＳターミナル２は、前記「登録」モードにおいて再発行キーｋ４によりカード再発行業務の実行を宣言すると、ＣＰＵ５１が図７（ｂ）の流れ図に示す再発行キー処理を実行するようにプログラムを構成している。
すなわち、ＣＰＵ５１は、キーボードコントローラ５８を介して再発行キーｋ４の入力を検知すると該再発行キー処理を開始し、ＳＴ６として客買上商品の非登録中であることを確認すると、ＳＴ７として時計回路５４から読出した取扱日付を含む再発行要求伝文を編集し、この再発行要求伝文をカードリーダインタフェース５６を介してカードリーダライタ４に送信したならば、この再発行キー処理を終了する。
【００２０】
一方、前記カードリーダライタ４は、ＣＰＵ７１が図８の流れ図に示す処理を実行するようにプログラムを構成している。
すなわち、ＣＰＵ７１は、ＳＴ１１としてＰＯＳターミナル２からの伝文受信を待機している。そして、ＰＯＳインタフェース７４を介してＰＯＳターミナル２からの伝文を受信すると、その伝文の種別を判断する。ここで、ＳＴ１２として受信伝文がデータ更新伝文であれば、後述するカードデータ更新処理を実行する。これに対し、ＳＴ１３として受信伝文が再発行要求伝文であれば、後述するカード再発行処理を実行する。しかる後、ＳＴ１１の伝文受信待機処理に戻る。
【００２１】
またＣＰＵ７１は、ＳＴ１１の伝文受信待機状態において、ＳＴ１４としてカードセンサ７５からの信号を例えば１００ミリ秒の間隔で周期的に取込む。そして、カードセンサ７５からの信号がオフ、つまりはカード装着部４１にカードが装着されていないことを確認すると、ＳＴ１５としてフラグメモリＭ４を調べる。ここで、カード有無フラグＦが“１”にセットされていた場合には、カード装着部４１からカードが抜き取られた直後なので、フラグメモリＭ４のカード有無フラグＦを“０”にリセットする。カード有無フラグＦが“０”にリセットされていた場合には何もしない。
【００２２】
一方、カードセンサ７５からの信号がオン、つまりはカード装着部４１にカードが装着されていることを確認すると、ＳＴ１６としてフラグメモリＭ４を調べる。ここで、カード有無フラグＦが“０”にリセットされていた場合には、カード装着部４１にカードが装着された直後なので、フラグメモリＭ４のカード有無フラグＦを“１”にセットする。カード有無フラグＦが“１”にセットされていた場合には何もしない。
【００２３】
図９は前記カードデータ更新処理を示す流れ図である。すなわち、ＣＰＵ７１は、このカードデータ更新処理を開始すると、先ず、ＳＴ２１としてフラグメモリＭ４を調べる。そして、カード有無フラグＦが“１”にセットされていたならば、カード装着部４１にカードが装着されているので、ＳＴ２２としてそのカードがリライトカード１か否かを判断する。そして、読取りヘッド７９で読取ったカードデータのカード種別ｄ１からリライトカード１であることを確認すると、ＳＴ２３としてＰＯＳターミナル２から受信したデータ更新伝文中の今回特典ポイント及び取扱日付のデータを今回データメモリＭ２に格納する。また、ＳＴ２４として読取りヘッド７９で読取ったカードデータ［カード種別ｄ１，会員番号ｄ２，今回ポイントｄ３，累計ポイントｄ４，取扱日付ｄ５，書換回数ｄ６］をカードデータメモリＭ１に格納する（カードデータ記憶手段）。
【００２４】
次に、ＳＴ２５として読取りヘッド７９で読取ったカードデータの書換回数ｄ６が予め設定されている表示部１２の書換限界値Ｎ（例えば３００回）に達しているか否かを判断する（書換限界判断手段）。
【００２５】
ここで、書換回数ｄ６が書換限界値Ｎに満たない場合には、このリライトカード１は継続使用可能なので、ＳＴ２６としてカードデータメモリＭ１内の累計ポイントｄ４に今回データメモリＭ２内の今回ポイントを加算する。また、ＳＴ２７としてカードデータメモリＭ１内の今回ポイントｄ３及び取扱日付ｄ５を今回データメモリＭ２内の今回ポイント及び取扱日付にそれぞれ更新する。さらに、ＳＴ２８としてカードデータメモリＭ１内の書換回数ｄ６に“１”を加算する。しかる後、ＳＴ２９として書込みヘッド８０の駆動を制御してカードデータメモリＭ１内のカードデータｄ１〜ｄ６をリライトカード１の磁気ストライプ部１１に磁気記録する。また、ＳＴ３０として上記カードデータメモリＭ１内の各データのうち会員番号ｄ２，今回ポイントｄ３，累計ポイントｄ４及び取扱日付ｄ５の各データを表示データメモリＮ３に転送することで表示データを編集する。しかる後、ＳＴ３１として消去ヘッド８２を駆動してリライトカード１の表示部１２の表示をクリアした後、表示ヘッド８１の駆動を制御して表示データメモリＭ３内の表示データｄ２〜ｄ５をリライトカード１の表示部１２に表示させる（カード継続処理手段）。
その後、ＳＴ３２としてモータ７７の駆動を制御してカード装着部４１に装着されたリライトカード１を排出させたならば、このカードデータ更新処理を終了する。
【００２６】
一方、ＳＴ２５にて書換回数ｄ６が書換限界値Ｎに達していた場合には、このリライトカード１は継続使用が不可能な旧カードなので、ＳＴ３３としてモータ７７の駆動を制御してカード装着部４１に装着されたリライトカード１を排出させるとともに再発行表示器４２を点灯または点滅させて、カード再発行を表示する（カード排出手段）。
【００２７】
しかる後、ＳＴ３４，３５としてフラグメモリＭ４を監視する。そして、カード有無フラグＦが一旦“０”にリセットされ、その後“１”に復帰したことを確認すると、ＳＴ３３にて排出された旧カード（第１のカード）と入替えに別のカードが装着されたので、ＳＴ３６としてそのカードがリライトカード１か否かを判断する。そして、読取りヘッド７９で読取ったカードデータのカード種別ｄ１からリライトカード１であることを確認すると、ＳＴ３７として読取りヘッド７９で読取ったカードデータの書換回数ｄ６が前記書換限界値Ｎに達しているか否かを判断する。そして、書換回数ｄ６が書換限界値Ｎに満たない場合には、このリライトカード１は使用可能な新カード（第２のカード）なので、ＳＴ３８としてカードデータメモリＭ１内の書換回数ｄ６を、今回、読取りヘッド７９で読取ったカードデータの書換回数ｄ６に置換するとともに、ＳＴ３９として再発行表示器４２を消灯してカード再発行の表示をクリアした後、この新カードに対して前記ＳＴ２６〜ＳＴ３２の各処理を実行する（カード複写手段）。
【００２８】
なお、ＳＴ３６にて旧カードと入替えでカード装着部４１に装着されたカードがリライトカードでなかった場合、及びＳＴ３７にてリライトカードの書換回数ｄ６が書換限界値Ｎに達していた場合には、ＳＴ３３に戻り、モータ７７の駆動を制御してカード装着部４１に装着されたカードを排出させ、カード再発行表示を継続する。
また、ＳＴ２１にてカード有無フラグＦが“０”にリセットされていた場合、及びＳＴ２２にてカードがリライトカード１でない場合には、特典ポイントの累計処理を行わない取引なので、直ちにこの処理を終了する。
【００２９】
図１０は前記カード再発行処理を具体的に示す流れ図である。すなわち、ＣＰＵ７１は、このカード再発行処理を開始すると、先ず、ＳＴ４１としてフラグメモリＭ４を調べる。そして、カード有無フラグＦが“０”にリセットされていたならば、“１”にセットされるのを待機する。ＳＴ４１にてカード有無フラグＦが“１”にセットされていることを確認すると、カード装着部４１にカードが装着されたので、ＳＴ４２としてそのカードがリライトカード１か否かを判断する。そして、読取りヘッド７９で読取ったカードデータのカード種別ｄ１からリライトカード１であることを確認すると、ＳＴ４３としてＰＯＳターミナル２から受信した再発行要求伝文中の取扱日付のデータを今回データメモリＭ２に格納する。また、ＳＴ４４として読取りヘッド７９で読取ったカードデータ［カード種別ｄ１，会員番号ｄ２，今回ポイントｄ３，累計ポイントｄ４，取扱日付ｄ５，書換回数ｄ６］をカードデータメモリＭ１に格納する（カードデータ記憶手段）。
【００３０】
次に、ＳＴ４５としてモータ７７の駆動を制御してカード装着部４１に装着されたリライトカード１を排出させるとともに再発行表示器４２を点灯または点滅させて、カード再発行を表示する。しかる後、ＳＴ４６，４７としてフラグメモリＭ４を監視する。そして、カード有無フラグＦが一旦“０”にリセットされ、その後“１”に復帰したことを確認すると、ＳＴ４５にて排出された旧カード（第１のカード）と入替えに別のカードが装着されたので、ＳＴ４８としてそのカードがリライトカード１か否かを判断する。そして、読取りヘッド７９で読取ったカードデータのカード種別ｄ１からリライトカード１であることを確認すると、ＳＴ４９として読取りヘッド７９で読取ったカードデータの書換回数ｄ６が前記書換限界値Ｎに達しているか否かを判断する。そして、書換回数ｄ６が書換限界値Ｎに満たない場合には、このリライトカード１は使用可能な新カード（第２のカード）なので、ＳＴ５０としてカードデータメモリＭ１内の書換回数ｄ６を、今回、読取りヘッド７９で読取ったカードデータの書換回数ｄ６に置換するとともに、ＳＴ５１として再発行表示器４２を消灯してカード再発行の表示をクリアする。しかる後、ＳＴ５２としてカードデータメモリＭ１内の取扱日付ｄ５を今回データメモリＭ２内の取扱日付に更新する。また、ＳＴ５３としてカードデータメモリＭ１内の書換回数ｄ６に“１”を加算する。しかる後、ＳＴ５４として書込みヘッド８０の駆動を制御してカードデータメモリＭ１内のカードデータｄ１〜ｄ６をリライトカード１の磁気ストライプ部１１に磁気記録する。また、ＳＴ５５として上記カードデータメモリＭ１内の各データのうち会員番号ｄ２，今回ポイントｄ３，累計ポイントｄ４及び取扱日付ｄ５の各データを表示データメモリＮ３に転送することで表示データを編集する。しかる後、ＳＴ５６として消去ヘッド８２を駆動してリライトカード１の表示部１２の表示をクリアした後、表示ヘッド８１の駆動を制御して表示データメモリＭ３内の表示データｄ２〜ｄ５をリライトカード１の表示部１２に表示させる（カード複写手段）。
その後、ＳＴ５７としてモータ７７の駆動を制御してカード装着部４１に装着されたリライトカード１を排出させたならば、このカード再発行処理を終了する。
【００３１】
このように構成した本実施の形態においては、客が買上げる商品の販売データをＰＯＳターミナル２に売上登録処理する際に、オペレータは、先ずその客が所有するリライトカード（ポイントカード）１をカードリーダライタ４のカード装着部４１に装着する。次に、ＰＯＳターミナル２の商品登録用キー（置数キーｋ１，プリセットキーｋ２等）を操作してこの客が買上げる商品を全て登録し終えたならば、締めキーｋ３を操作して商品登録終了を宣言する。
【００３２】
そうすると、ＰＯＳターミナル２において、この客が買上げた全商品の合計金額等に基づいて今回の特典ポイントが自動的に算出され、この算出された今回ポイントと現日付である取扱日付のデータとを含むデータ更新伝文が編集されて、このデータ更新伝文がカードリーダライタ４に送信される。
これにより、カードリーダライタ４においては、カードデータ更新処理が開始される。すなわち、上記データ更新伝文中の今回ポイントと取扱日付の各データが今回データメモリＭ２に格納される。また、カード装着部４１に装着された当該客のリライトカード１の磁気ストライプ部１１に記録されていたカードデータ［カード種別ｄ１，会員番号ｄ２，今回ポイントｄ３，累計ポイントｄ４，取扱日付ｄ５，書換回数ｄ６］がカードデータメモリＭ１に格納される。
【００３３】
ここで、上記カードデータの書換回数ｄ６が予め設定されている書換限界値Ｎに満たない場合には、カードデータメモリＭ１内のカードデータの累計ポイントｄ４に今回データメモリＭ２内の今回ポイントが加算されるとともに、同カードデータの今回ポイントｄ３及び取扱日付ｄ５がそれぞれ今回データメモリＭ２内の今回ポイント及び取扱日付に更新される。また、同カードデータの書換回数ｄ６が＋１だけ増加する。
【００３４】
しかる後、上記の如く更新されたカードデータが当該客のリライトカード１の磁気ストライプ部１１に記録される。また、同カードデータの会員番号ｄ２，今回ポイントｄ３，累計ポイントｄ４及び取扱日付ｄ５の各データが同リライトカード１の表示部１２に書換表示される。その後、同リライトカード１はカード装着部４１から排出されるので、オペレータはＰＯＳターミナル２のプリンタ２４により発行されたレシートとともに当該客のリライトカード１を客に渡す。以上で１客に対する商品登録業務を終了する。
【００３５】
一方、当該客が所有するリライトカード１の書換回数ｄ６が既に書換限界値Ｎに達していた場合には、このリライトカード（説明の便宜上、旧リライトカード１ａと称する）がカード装着部４１から排出されるとともに再発行表示器４２が点灯もしくは点滅して、オペレータにカード再発行を報知する。
【００３６】
そこでオペレータは、カード装着部４１から排出された旧リライトカード１ａと入替えに、例えば未使用のリライトカード（説明の便宜上、新リライトカード１ｂと称する）をカード装着部４１に装着する。そうすると、カードデータメモリＭ１内のカードデータ、つまりは旧リライトカード１ａのカードデータのうち、書換回数ｄ６のみが新リライトカード１ｂの書換回数（未使用であれば“０”）に置換される。また、このカードデータメモリＭ１内のカードデータの累計ポイントｄ４に今回データメモリＭ２内の今回ポイントが加算されるとともに、同カードデータの今回ポイントｄ３及び取扱日付ｄ５がそれぞれ今回データメモリＭ２内の今回ポイント及び取扱日付に更新される。その後、カードデータメモリＭ１内のカードデータの書換回数ｄ６が＋１だけ増加する。
【００３７】
しかる後、上記の如く更新されたカードデータメモリＭ１内のカードデータがカード装着部４１に装着されているリライトカード、つまりは新リライトカード１ｂの磁気ストライプ部１１に記録される。また、同カードデータの会員番号ｄ２，今回ポイントｄ３，累計ポイントｄ４及び取扱日付ｄ５の各データがこの新リライトカード１ｂの表示部１２に書換表示される。その後、この新リライトカード１ｂはカード装着部４１から排出されるので、オペレータはＰＯＳターミナル２のプリンタ２４により発行されたレシートとともにこの新リライトカード１ｂを客に渡す。以上で１客に対する商品登録業務を終了する。
【００３８】
このように、本実施の形態によれば、表示部１２へのデータ書換回数が予め設定されている書換限界値Ｎに達した旧リライトカード１ａがカード装着部４１に装着された場合には、カード装着部４１から自動的に排出された旧リライトカード１ａの代りに新リライトカード１ｂを装着するだけで、この旧リライトカード１ａの磁気ストライプ部１１に記録されるべきカードデータ（ただし書換回数ｄ６は新リライトカード１ｂのもの）と、表示部１２に表示されるべき表示データとを、それぞれ引き継いだ新リライトカード１ｂを発行できるので、カード再発行処理の際に旧リライトカード１ａのカードデータを手入力する必要がなくなる。したがって、カード再発行処理に要する手間を大幅に簡略できる上、同処理に費やす時間も大幅に短縮できる効果を奏する。
【００３９】
ところで、リライトカード１のなかには、表示部１２に対する書換回数が書換限界値Ｎに達していなくても表示部１２の表示が不鮮明となり、カードの再発行処理が必要となる場合がある。この場合、オペレータは、ＰＯＳターミナル２の再発行キーｋ４を操作してカード再発行業務の開始を宣言する。
【００４０】
そうすると、ＰＯＳターミナル２において、現日付である取扱日付のデータを含む再発行要求伝文が編集されて、この再発行要求伝文がカードリーダライタ４に送信される。
これにより、カードリーダライタ４においては、カード再発行処理が行われる。すなわち、上記再発行要求伝文中の取扱日付データが今回データメモリＭ２に格納される。また、カード装着部４１に装着された表示不鮮明のリライトカード  （説明の便宜上、旧リライトカード１ａと称する）の磁気ストライプ部１１に記録されていたカードデータ［カード種別ｄ１，会員番号ｄ２，今回ポイントｄ３，累計ポイントｄ４，取扱日付ｄ５，書換回数ｄ６］がカードデータメモリＭ１に格納される。しかる後、この旧リライトカード１ａがカード装着部４１から排出されるとともに再発行表示器４２が点灯もしくは点滅して、オペレータにカード再発行を報知する。
【００４１】
そこでオペレータは、カード装着部４１から排出された旧リライトカード１ａと入替えに、例えば未使用のリライトカード（説明の便宜上、新リライトカード１ｂと称する）をカード装着部４１に装着する。そうすると、カードデータメモリＭ１内のカードデータ、つまりは旧リライトカード１ａのカードデータの書換回数ｄ６が新リライトカード１ｂのカードデータ中の書換回数（未使用であれば“０”）に置換される。また、このカードデータメモリＭ１内のカードデータの取扱日付ｄ５が今回データメモリＭ２内の取扱日付に更新される。その後、カードデータメモリＭ１内のカードデータの書換回数ｄ６が＋１だけ増加する。
【００４２】
しかる後、上記の如く更新されたカードデータメモリＭ１内のカードデータがカード装着部４１に装着されているリライトカード、つまりは新リライトカード１ｂの磁気ストライプ部１１に記録される。また、同カードデータ中の会員番号ｄ２，今回ポイントｄ３，累計ポイントｄ４及び取扱日付ｄ５の各データがこの新リライトカード１ｂの表示部１２に書換表示される。その後、この新リライトカード１ｂはカード装着部４１から排出されるので、オペレータは旧リライトカード１ａと引換に新リライトカード１ｂを客に渡す。以上でリライトカードの再発行業務を終了する。
【００４３】
このように、本実施の形態によれば、カード再発行業務において、カード装着部４１に対して旧リライトカード１ａを新リライトカード１ｂに入替えるだけで、旧リライトカード１ａの磁気ストライプ部１１に記録されていたカードデータ（ただし書換回数ｄ６は新リライトカード１ｂのもの）と、表示部１２に表示されていた表示データとを、それぞれ引き継いだ新リライトカード１ｂを発行できるので、この場合においても、カード再発行処理の際に旧リライトカード１ａのカードデータを手入力する必要がない。
【００４４】
なお、本発明は前記一実施の形態に限定されるものではない。
例えば、前記実施の形態ではポイントカードとして使用するリライトカードのカード再発行業務について説明したが、プリペイドカード等として使用するリライトカードについても本発明を適用できるのはいうまでもないことである。
【００４５】
また、カードは磁気ストライプ部１１と表示部１２とを有するリライトカード１に限定されるものではなく、例えば記憶部を半導体メモリで形成し、この半導体メモリ内のカードデータの少なくとも一部を表示部に表示するようにしたＩＣカードであってもよい。
【００４６】
また本発明は、カード装着部を２個所に備え、再発行業務が選択されると、一方のカード装着部に装着された旧リライトカードのカードデータをデータ読取り手段により読取ったならばそのカードデータをカードデータメモリＭ１に格納する。次いで、他方のカード装着部に装着された新リライトカードの記憶部に上記カードデータメモリＭ１に格納したカードデータを記録するとともに、そのカードデータの少なくとも一部を上記新リライトカードの表示部に表示させるようにしたカードリーダライタであってもよい。
この他、本発明の要旨を逸脱しない範囲で種々変形実施可能であるのは勿論である。
【００４７】
【発明の効果】
以上詳述したように本発明によれば、簡単な操作で旧カードのデータを引き継いだ新カードを発行させることができ、カード再発行処理に要する手間を簡略できるとともに処理時間を大幅に短縮できるカードリーダライタを提供できる。
【図面の簡単な説明】
【図１】本発明の一実施の形態を示す外観図。
【図２】同実施の形態で使用するカードの表・裏面図。
【図３】図２に示すカードの磁気ストライプ部に記録されるカードデータの構成図。
【図４】図１に示すＰＯＳターミナルの要部ブロック図。
【図５】図１に示すカードリーダライタの要部ブロック図。
【図６】図１に示すカードリーダライタのＲＡＭに設けた主要なメモリエリアの構成図。
【図７】図１に示すＰＯＳターミナルのＣＰＵが実行する主要なプログラム処理の流れ図。
【図８】図１に示すカードリーダライタのＣＰＵが実行する主要なプログラム処理の流れ図。
【図９】図８におけるカードデータ更新処理を具体的に示す流れ図。
【図１０】図８におけるカード再発行処理を具体的に示す流れ図。
【符号の説明】
１…リライトカード
２…ＰＯＳターミナル
４…カードリーダライタ
１１…磁気ストライプ部（記憶部）
１２…表示部
４１…カード装着部
４２…再発行表示器
７１…ＣＰＵ
７９…読取りヘッド
８０…書込みヘッド
８１…表示ヘッド
８２…消去ヘッド
Ｍ１…カードデータメモリ
Ｍ２…今回データメモリ
Ｍ３…表示データメモリ
【図１】
0003579199.tif 000002
【図２】
0003579199.tif 000003
【図３】
0003579199.tif 000004
【図４】
0003579199.tif 000005
【図５】
0003579199.tif 000006
【図６】
0003579199.tif 000007
【図７】
0003579199.tif 000008
【図８】
0003579199.tif 000009
【図９】
0003579199.tif 000010
【図１０】
0003579199.tif 000011